【事件の表示】
　特願２０１５−　８８４１８「太陽電池モジュール」拒絶査定不服審判事件〔平成２７年１１月２４日出願公開、特開２０１５−２１１６３４、請求項の数（１７）〕について、次のとおり審決する。
【結　論】
　原査定を取り消す。
　本願の発明は、特許すべきものとする。
【理　由】
第１　手続の経緯
　本願は、平成２７年４月２３日（パリ優先権主張平成２６年４月２３日、韓国）の出願であって、その手続の経緯は次のとおりである。
　平成２８年　３月３１日付け：拒絶理由通知（同年４月５日発送）
　平成２８年　７月　５日　　：意見書、手続補正書の提出
　平成２８年１２月２８日付け：拒絶理由通知（最初、平成２９年１月１０
　　　　　　　　　　　　　　　日発送）
　平成２９年　４月１０日　　：意見書、手続補正書の提出
　平成２９年　９月２９日付け：拒絶査定（平成２９年１０月１０日送達）
　平成３０年　２月１３日　　：審判請求書、手続補正書の提出
　平成３０年１０月２３日付け：当審拒絶理由通知（最初、同年同月３０日
　　　　　　　　　　　　　　　発送）
　平成３０年１１月１４日　　：意見書、手続補正書の提出
第２　原査定の理由の概要
　原査定の理由の概要は次のとおりである。
　本願の請求項１〜１７に係る発明は、以下の引用文献１〜５に基づいて、当業者が容易に発明をすることができたものであるから、特許法第２９条第２項の規定により特許を受けることができない。
　引用文献１：登録実用新案第３１８５７０２号公報
　引用文献２：特開２００１−２４２０６号公報
　引用文献３：特開２００３−１９７９４４号公報（なお、原査定は、当該文献を、「引用文献４」として表記しているが、「引用文献３」の誤記であると解される。）
　引用文献４：特開２００３−５２１８５号公報（なお、原査定は、当該文献を、「引用文献３」として表記しているが、「引用文献４」の誤記であると解される。）
　引用文献５：特表２０１２−５２７７６７号公報
第３　当審拒絶理由の概要
　当審拒絶理由の概要は次のとおりである。
　本願は、特許請求の範囲の記載が不備のため、特許法第３６条第６項第２号に規定する要件を満たしていない。
第４　本願発明の認定
　本願請求項１〜１７に係る発明（以下、それぞれ、「本願発明１」〜「本願発明１７」という。）は、平成３０年１１月１４日提出の手続補正書により補正された特許請求の範囲の請求項１〜１７に記載された事項により特定される発明であるところ、本願発明１は、次のとおりであると認められる。
「太陽電池パネルと、
　前記太陽電池パネルの後面に位置する一体型インバータと、
を含み、
　前記一体型インバータは、
　前記太陽電池パネルに接続される端子と、前記端子に電気的に接続される直流−交流インバータを含むインバータ部材とを含む回路部と、
　ガイド部材と、
　前記太陽電池パネルから離隔した底面、前記底面から延びる側面、及び前記太陽電池パネルに対向した、前記ガイド部材の開口部分により定められる内部空間部を有し、前記内部空間部内に前記回路部を収容する収容部と、を含み、
　前記底面と前記太陽電池パネルの底面との間の空間が前記回路部と空気で満たされるように、前記側面が前記ガイド部材の前記開口部分を介して前記太陽電池パネルに接合され、
　前記回路部は、前記底面上に形成され、
　前記底面は、前記端子に対応する開口部、及び前記開口部を覆うカバー部を有する、太陽電池モジュール。」
　なお、本願発明２〜１７は、本願発明１を直接的又は間接的に引用する発明である。
第５　進歩性欠如の有無の判断
　１　引用発明等の認定
（１）引用文献１について
　ア　原査定の拒絶の理由に引用された引用文献１（登録実用新案第３１８５７０２号公報）には、次の事項が記載されている。
（ア）「【実用新案登録請求の範囲】」、
「
穿孔を設けたカバーと、
　
前記カバー内に収納され、一方の面にインバータ回路および接線回路が半田付けされ、前記接線回路は複数の導電端子および複数のダイオードを有し、前記複数の導電端子はそれぞれ前記インバータ回路に電気的に接続し、任意の隣り合う前記二つの導電端子の間には前記ダイオードが配置され、前記ダイオードも隣り合う前記二つの導電端子とそれぞれ電気的に接続している回路板と、を含むことを特徴とするインバータモジュール。
「前記カバーは、框体および蓋を有し、前記框体は開口、および前記開口に対する底板を有し、前記蓋は前記開口を覆うのに用いられ、前記開口の片側に枢接されていることを特徴とする請求項１に記載のインバータモジュール。」（【請求項２】）
（イ）「【技術分野】」、
「本考案は、ソーラーパネルに用いられるインバータに関し、特に、インバータおよびジャンクションボックスを統合したインバータモジュールに関する。」（【０００１】）
（ウ）「【考案が解決しようとする課題】」、
「本考案の目的は、インバータおよびジャンクションボックスを統合したインバータモジュールを提供することにある。」（【０００５】）
（エ）「【課題を解決するための手段】」、
「上述の目的を達成するため、本考案は、インバータモジュールを提供する。本考案のインバータモジュールは、カバーおよび回路板を含む。カバーは、穿孔を設けている。回路板は、カバー内に収納され、一方の面にインバータ回路および接線回路が半田付けされている。接線回路は、複数の導電端子および複数のダイオードを有する。複数の導電端子は、それぞれインバータ回路に電気的に接続している。任意の隣り合う二つの導電端子の間には、ダイオードが配置されている。ダイオードも隣り合う二つの導電端子とそれぞれ電気的に接続している。」（【０００６】）
（オ）「【考案の効果】」、
「本考案のインバータモジュールは、インバータ回路、導電端子およびダイオードを回路板上に統合して設けるため、従来のジャンクションボックスを設ける必要がなく、インバータモジュールを配置するスペースを削減することができる。また、製造および組立において、従来技術より大幅に簡単になった。さらに、インバータ回路は、電子デバイスを回路板の嵌め込みスペース内に配置することにより、カバーの厚さを減少させることができる。」（【０００７】）
（カ）「【実施例】」、
「図１〜４を参照して説明する。図１は、本考案の一実施形態によるインバータモジュールを示す分解斜視図である。図２は、本考案の一実施形態によるインバータモジュールを示す斜視図である。図３は、本考案の一実施形態によるインバータモジュールを示す斜視図である。図４は、本考案の一実施形態によるインバータモジュールを示す断面図である。図１〜４に示すように、本考案のインバータモジュールは、ソーラーパネル１０(図５，６参照）に接続され、カバー１００および回路板２００を含む。」（【００１０】）、
「カバー１００は、框体１１０および蓋１２０を有する。框体１１０は、四角形を呈し、開口１１１、および開口１１１に対する底板１１２を有する。底板１１２には、細長い開口１１１が設けられている。框体１１０は、外側に入力ポート１０１および出力ポート１０２を一対ずつそれぞれ設けている。底板１１２の外側の面に内側に凹むように放熱空間１０３が形成されている。底板１１２は、外側縁から固定片１１４が延伸している。」（【００１１】）、
「蓋１２０は、開口１１１を覆うのに用いられ、開口１１１の片側に枢接されるのが好適で、開口１１１の反対側にある嵌合構造１２１により嵌合固定を行なう。框体１１０は、蓋１２０との間に防水パッキング１３１を設け、蓋１２０が開口１１１に被せられると、防水パッキング１３１が蓋１２０と開口１１１との間に挟まれ、カバー１００を密閉する。固定片１１４が螺着孔１１５も設けているため、カバー１００は、螺着孔１１５上で螺着方式によりソーラーパネル１０(図５，６参照）に固定される。」（【００１２】）、
「回路板２００は、四角形を呈し、框体１１０内に収納され、框体１１０の底板１１２の内側に固定されるのが好適である。回路板２００は、一辺が穿孔１１３に隣接するように配置されている。また、回路板２００には、異なる位置に相互に独立したインバータ回路３００および接線回路４００が半田付けされている。接線回路４００は、穿孔１１３の側面に沿って配置され、複数の導電端子４１０および複数のダイオード４２０を有する。回路板２００は、少なくとも一つの嵌め込みスペース２１０を設けている。
　また、
框体１１０の底板１１２とソーラーパネル１０(図５，６参照）との間にも防水パッキング１３２が設けられ、その間を密閉する
「インバータ回路３００は、入力ポート１０１および出力ポート１０２にそれぞれ電気的に接続し、複数の電子デバイス３１０（例えば、コンデンサ）を有する。回路板２００上には、体積が大きめな電子デバイス３１０を配置するのに用いられる回路板２００が設けられている。」（【００１４】）、
「導電端子４１０は、それぞれ金属片が曲げられてなり、クリップ状を呈するのが好適であるが、これに限定されるものではない。導電端子４１０は、回路板２００の一辺に沿って直列に設けられている。回路板２００のこの一辺は、穿孔１１３の一方の長辺に隣接して設けられるのが好適である。これにより、導電端子４１０が穿孔１１３に隣接して配置されるからである。導電端子４１０は、それぞれインバータ回路３００に電気的に接続し、任意の隣り合う二つの導電端子４１０の間には、ダイオード４２０が配置され、どのダイオード４２０も隣り合う二つの導電端子４１０とそれぞれ電気的に接続している。これにより、導電端子４１０を通過した電流が逆流するのを防いでいる。」（【００１５】）、
「回路板２００上には導熱板５００が設けられるのが好適である。導熱板５００は、一方の面が回路板２００に付着し、もう一方の面が框体１１０の底板１１２に付着している。これにより、インバータ回路３００の稼動時に発生した熱エネルギーを底板１１２に伝動し、さらに放熱空間１０３を介してカバー１００の外部に放出する。」（【００１６】）、
「図５〜７を参照して説明する。図５は、本考案のインバータモジュールの配置状態を示す分解斜視図である。図６は、本考案のインバータモジュールの配置状態を示す斜視図である。図７は、本考案のインバータモジュールの配置状態を示す断面図である。図５〜７に示すように、本考案の
インバータモジュールは、ソーラーパネル１０上に配置され、複数の導電端子４１０によりソーラーパネル１０に接続されている
「ソーラーパネル１０上にジャンクションボックスがすでに設けられている場合、本考案のインバータモジュールは、導電端子４１０を介してソーラーパネル１０に電気的に接続する必要がなく、出力ポート１０２によりソーラーパネル１０上のジャンクションボックスに電気的に接続すればよい。」（【００１８】）
　イ　上記アによれば、引用文献１には、次の発明（以下「引用発明」という。）が記載されていると認められる。なお、参考までに、引用発明の認定に用いた段落番号等を括弧内に示してある。
「穿孔を設けたカバーと、
　前記カバー内に収納され、一方の面にインバータ回路および接線回路が半田付けされ、前記接線回路は複数の導電端子および複数のダイオードを有し、前記複数の導電端子はそれぞれ前記インバータ回路に電気的に接続し、任意の隣り合う前記二つの導電端子の間には前記ダイオードが配置され、前記ダイオードも隣り合う前記二つの導電端子とそれぞれ電気的に接続している回路板と、
　を含むインバータモジュールを有し、（【請求項１】）
　前記インバータモジュールが、防水パッキングを介して、ソーラーパネル上に配置され、複数の導電端子によりソーラパネルに接続されている、（【００１３】・【００１７】）
　装置。」
（２）引用文献２について
　原査定の拒絶の理由に引用された引用文献２（特開２００１−２４２０６号公報）には、次の技術的事項が記載されていると認められる。
　(i)「太陽電池素子と出力リード線との電気的接続部を被覆する保護部材を有する太陽電池モジュールの端子取出し構造において、該保護部材の天板部に該保護部材内部に充填剤を充填するための充填剤注入孔と充填剤確認孔の少なくとも２つの孔部を有し、かつ該保護部材内部に充填剤を有することを特徴とする太陽電池モジュールの端子取出し構造。」（【請求項１】）、
　(ii)「保護部材は、あらかじめ保護部材の底面に貼り付けてある両面テープを剥がして、太陽電池モジュールの所定の場所に貼着している。」（【００１６】、図２）
（３）引用文献３について
　原査定の拒絶の理由に引用された引用文献３（特開２００３−１９７９４４号公報）には、次の技術的事項が記載されていると認められる。
　(i)「ケーブル接続部を有する端子ボックス本体と、この端子ボックス本体内に配設された電極接続端子と、端子ボックス本体の天面開口部を閉鎖する蓋体と、から構成され、前記蓋体の裏面には、端子ボックス本体に配設された電極接続端子の一端部に対応する位置に押圧部が形成され、端子ボックス本体のケーブル接続部を通して挿入された接続ケーブルの芯線が、電極接続端子の一端部と蓋体の押圧部との間を通過することにより、電極接続端子に接続されることを特徴とする端子ボックス。」（【請求項１】）、
　(ii)「端子ボックス本体２は、方形枠状の周壁３および周壁３の底面に連続する底壁４からなり、また、底壁４は、その上方側略一半部が開口されており、この開口部４ａを通して太陽電池モジュール１０の出力端を端子ボックス本体２の内部に導くことができる。」（【００１９】、図３）。
（４）引用文献４について
　原査定の拒絶の理由に引用された引用文献４（特開２００３−５２１８５号公報）には、次の技術的事項が記載されていると認められる。
　(i)「光起電力素子の出力を変換して出力する電力変換回路と、前記電力変換回路を収容する保護容器と、を備える電力変換器であって、前記保護容器は、前記保護容器を前記光起電力素子を有する光起電力素子モジュールの所定部位に固定する第１の部位と、前記電力変換回路を固定する第２の部位と、を有し、前記第１の部位と前記第２の部位とが異なる熱伝導率を有する材料で作製されていることを特徴とする電力変換器。」（【請求項１】）、
　(ii)「電力変換器２１０７では、電力変換回路２０１は実装されている放熱性に優れるプリント配線板上に配置され、プリント配線板は第二の部材２０６と接触するように接着剤２４０２（あるいは充填剤）を用いて設置されている。」（【００９３】、図４）
（５）引用文献５について
　原査定の拒絶の理由に引用された引用文献５（特表２０１２−５２７７６７号公報）には、次の技術的事項が記載されていると認められる。
　(i)「光起電性パネルへの電気的接続を行うために使用する電気的に絶縁した接続箱であって、前記第１のチャンバー内に原位置で接着された金属製のヒートシンクであって、前記第１のチャンバーは電力変換用の回路基板を受け、前記金属製ヒートシンクは前記回路基板により生み出される熱を放散するよう構成されるヒートシンクを備えた、接続箱。」（【請求項１７】）、
　(ii)「光起電性パネル１６の背面４には、回路基板２６０及び蓋１０８を含むチャンバーＡが設けられており、蓋１０８は、前記背面４側に存在している。」（【００１９】、Ｆｉｇ．２Ａ）。
　２　対比・判断
（１）本願発明１について
　ア　引用発明との対比
（ア）本願発明１の「太陽電池パネルと、前記太陽電池パネルの後面に位置する一体型インバータと、を含み、」との特定事項について
　ａ　引用発明の「ソーラーパネル」は、本願発明１の「太陽電池パネル」に相当する。
　ｂ　引用発明の「インバータモジュール」は、「インバータ回路」と「複数の導電端子」とを備えるとともに、当該「複数の導電端子」は「ソーラパネルに接続され」るものであるから、本願発明１の「一体型インバータ」に相当する。
　ｃ　引用発明の「ソーラーパネル上に配置され」た「インバータモジュール」は、上記ａ及びｂにも照らせば、本願発明１の「前記太陽電池パネルの後面に位置する」「一体型インバータ」に相当するといえる。
　ｄ　したがって、引用発明は、本願発明１の「太陽電池パネルと、前記太陽電池パネルの後面に位置する一体型インバータと、を含み、」との特定事項を備える。
（イ）本願発明１の「前記一体型インバータは、前記太陽電池パネルに接続される端子と、前記端子に電気的に接続される直流−交流インバータを含むインバータ部材とを含む回路部と、ガイド部材と、前記太陽電池パネルから離隔した底面、前記底面から延びる側面、及び前記太陽電池パネルに対向した、前記ガイド部材の開口部分により定められる内部空間部を有し、前記内部空間部内に前記回路部を収容する収容部と、を含み、」との特定事項について
　ａ　引用発明の「ソーラパネルに接続され」る「複数の導電端子」は、本願発明１の「前記太陽電池パネルに接続される端子」に相当する。
　ｂ　引用発明の「前記複数の導電端子」に「電気的に接続」される「インバータ回路」は、本願発明１の「前記端子に電気的に接続される直流−交流インバータを含むインバータ部材」に相当する。
　ｃ　上記ａ及びｂによれば、引用発明は、本願発明１でいう「回路部」を備える。
　ｄ　引用発明の「カバー」が本願発明１でいう「前記太陽電池パネルから離隔した底面、前記底面から延びる側面」を有することは、明らかである。
　さらに、引用発明の「カバー」が本願発明１の「内部空間部内に前記回路部を収容する収容部」に該当することも、明らかである。
　ｅ　したがって、引用発明は、本願発明１の「前記一体型インバータは、前記太陽電池パネルに接続される端子と、前記端子に電気的に接続される直流−交流インバータを含むインバータ部材とを含む回路部と、」「前記太陽電池パネルから離隔した底面、前記底面から延びる側面」「により定められる内部空間部を有し、前記内部空間部内に前記回路部を収容する収容部と、」「を含み」との特定事項を備える。
　しかし、引用発明は、「防水パッキング」を備えるが、「ガイド部材」を備えるといえるのかは明らかではなく、さらに、引用発明の「内部空間部」は、「前記太陽電池パネルから離隔した底面、前記底面から延びる側面」によっては定められるが、「前記太陽電池パネルに対向した、前記ガイド部材の開口部分」によっては定められない。
（ウ）本願発明１の「前記底面と前記太陽電池パネルの底面との間の空間が前記回路部と空気で満たされるように、前記側面が前記ガイド部材の前記開口部分を介して前記太陽電池パネルに接合され、」との特定事項について
　引用発明は、本願発明１の当該特定事項を備えない。
（エ）本願発明１の「前記回路部は、前記底面上に形成され、」との特定事項について
　引用発明は、本願発明１の当該特定事項を備えない。
（オ）本願発明１の「前記底面は、前記端子に対応する開口部、及び前記開口部を覆うカバー部を有する、」との特定事項について
　引用発明は、本願発明１の当該特定事項を備えない。
（カ）本願発明１の「太陽電池モジュール。」との特定事項について
　引用発明の「装置。」が、本願発明１の「太陽電池モジュール。」に相当することは明らかである。
　イ　一致点及び相違点の認定
　上記アによれば、本願発明１と引用発明とは　
「太陽電池パネルと、
　前記太陽電池パネルの後面に位置する一体型インバータと、
を含み、
　前記一体型インバータは、
　前記太陽電池パネルに接続される端子と、前記端子に電気的に接続される直流−交流インバータを含むインバータ部材とを含む回路部と、
　前記太陽電池パネルから離隔した底面、前記底面から延びる側面により定められる内部空間部を有し、前記内部空間部内に前記回路部を収容する収容部と、を含む、
　太陽電池モジュール。」である点で一致し、次の点で相違する。
［相違点１］
　本願発明１は、
　「ガイド部材」を有するとともに、
　「収容部」が有する「内部空間部」が、「前記太陽電池パネルから離隔した底面、前記底面から延びる側面」のみならず、「前記太陽電池パネルに対向した、前記ガイド部材の開口部分」によっても定められるものであって、
　さらに、「前記底面と前記太陽電池パネルの底面との間の空間が前記回路部と空気で満たされるように、前記側面が前記ガイド部材の前記開口部分を介して前記太陽電池パネルに接合され」ているのに対し、
　引用発明は、
　「防水パッキング」を有するとともに、
　「収容部」が有する「内部空間部」が「前記太陽電池パネルに対向した、前記ガイド部材の開口部分」によっては定められず、
　さらに、「前記底面と前記太陽電池パネルの底面との間の空間が前記回路部と空気で満たされるように、前記側面が前記ガイド部材の前記開口部分を介して前記太陽電池パネルに接合され」てもいない点。
［相違点２］
　本願発明１は、「前記回路部は、前記底面上に形成され」ているのに対し、引用発明は、そうなっていない点。
［相違点３］
　本願発明１は、「前記底面は、前記端子に対応する開口部、及び前記開口部を覆うカバー部を有する」のに対し、引用発明は、そうなっていない点。
　ウ　相違点の判断
（ア）相違点１について
　ａ　相違点１は上記イで認定したとおりであるところ、このうち、少なくとも、「内部空間部」に関して、「前記底面と前記太陽電池パネルの底面との間の空間が前記回路部と空気で満たされるように、前記側面が前記ガイド部材の前記開口部分を介して前記太陽電池パネルに接合され」る点は、以下のとおり、原査定が引用した引用文献２〜５のいずれにも記載されていない。
（ａ）引用文献２に記載された発明は、「保護部材内部に充填剤を充填するための」構造に係るものであるから、保護部材内部に充填剤をいきわたらせることを前提とするものと解され（上記（２）(i)）、よって、「前記底面と前記太陽電池パネルの底面との間の空間が前記回路部と空気で満たされる」ものではない。
　加えて、引用文献２に記載された発明は、（保護部材の）「前記側面が」「前記太陽電池パネルに接合され」ている（上記（２）(ii)）とはいえても、「前記側面」の「前記太陽電池パネル」への「接合」が、「前記ガイド部材の前記開口部分を介して」なされていない。
（ｂ）引用文献３に記載された発明は、端子ボックス本体２が開口部４ａを備えているけれども、開口部４ａは底壁４に形成されたものである（上記（３）(ii)）から、「前記底面と前記太陽電池パネルの底面との間の空間」を備えるとはいえても、その「空間」に、「前記回路部と空気」以外の構成である「底壁４」をも備えている。よって、引用文献３に記載された発明は、「前記底面と前記太陽電池パネルの底面との間の空間が前記回路部と空気で満たされる」ものではない。
　加えて、引用文献３に記載された発明は、（端子ボックス本体２の）「前記側面が前記ガイド部材の前記開口部分を介して前記太陽電池パネルに接合され」るものでもない。
（ｃ）引用文献４に記載された発明は、太陽電池モジュールと（箱状の）第２の部材２０６との間に第１の部材２０５を設けるものである（上記（４）(i)、（ii)）から、「前記底面と前記太陽電池パネルの底面との間の空間」を備えるとはいえても、その「空間」に、「前記回路部と空気」以外の構成である「第１の部材２０５」をも備えている。よって、引用文献４に記載された発明は、「前記底面と前記太陽電池パネルの底面との間の空間が前記回路部と空気で満たされる」ものではない。
　加えて、引用文献４に記載された発明は、（第２の部材２０６の）「前記側面が前記ガイド部材の前記開口部分を介して前記太陽電池パネルに接合され」るものでもない。
（ｄ）引用文献５に記載された発明は、外側筐体１０２の光起電性パネルの背面４側に蓋１０８を設けるものである（上記（５）(ii)）から、「前記底面と前記太陽電池パネルの底面との間の空間」を備えるとはいえても、その「空間」に、「前記回路部と空気」以外の構成である「蓋１０８」をも備えている。よって、引用文献５に記載された発明は、「前記底面と前記太陽電池パネルの底面との間の空間が前記回路部と空気で満たされる」ものではない。
　加えて、引用文献５に記載された発明は、（外側筐体１０２の）「前記側面が前記ガイド部材の前記開口部分を介して前記太陽電池パネルに接合され」るものでもない。
　ｂ　このように、相違点１に係る構成は、引用文献２〜引用文献５のいずれにも記載されていないから、当業者は、引用発明及び引用文献２〜引用文献５に記載された発明に基づいて、相違点１の構成に至ることはない。
（イ）小括
　したがって、他の相違点について判断するまでもなく、本願発明１は、当業者が、引用発明及び引用文献２〜引用文献５に記載された発明に基づいて、容易に発明をすることができたものではない。
（２）本願発明２〜１７について
　本願発明２〜１７は、本願発明１を直接的又は間接的に引用する発明であるから、上記（１）と同様の理由で、当業者が、引用発明及び引用文献２〜引用文献５に記載された発明に基づいて、容易に発明をすることができたものではない。
第６　原査定の理由に対する判断
　上記第５のとおりであるから、原査定を維持することはできない。
第７　当審拒絶理由に対する判断
　１　当審拒絶理由は、明確性要件違反を指摘するものであるところ、これらの理由は、以下のとおり、平成３０年１１月１４日提出の手続補正書による手続補正（以下「本件補正」という。）によって解消された。
（１）本件補正前の請求項１の「太陽電池パネルに対向した開口部分」という記載の不明確性については、本件補正により「ガイド部材」が特定されたことによって解消した。
（２）本件補正前の請求項１の「前記側面の内部空間」という記載の不明確性については、本件補正によりその文言が使用されなくなったことによって解消した。
（３）本件補正前の請求項１の「前記底面と前記太陽電池パネルの底面との間の空間が空気で満たされるように、」との記載の不明確性については、本件補正により当該空間に「回路部」をも存在することが特定されたことによって解消した。
（４）本件補正前の請求項１の「前記開口部分として形成された前記太陽電池パネル」との記載の不明確性については、本件補正により当該記載が「前記側面が前記ガイド部材の前記開口部分を介して前記太陽電池パネルに接合され」と表現されたことによって解消した。
（５）本件補正前の請求項４の「（ｆｉｎ）」との記載の不明確性については、本件補正によりその記載が削除されたことによって解消した。
（６）本件補正前の請求項６の「第２の面」との記載の不明確性については、本件補正により当該記載が「前記太陽電池パネルの反対側の面」と表現されたことによって解消した。
　２　したがって、当審拒絶理由により、本願を拒絶することはできない。
第８　むすび
　このように、原査定の理由及び当審拒絶理由によっては、本願を拒絶することはできない。
　そして、他に本願を拒絶すべき理由を発見しない。
　よって、結論のとおり審決する。